(57)【要約】【課題】ネットワークユーザに、広帯域のアプリケーションを経済的に提供すること。【解決手段】分配ネットワークからユーザ端末を有するアクセスネットワークへのトラフィックを伝送する通信ネットワークが開示される。分配ネットワークのトラフィック伝送容量はアクセスネットワークより大きい。通信ネットワークは分配ネットワークに動作可能に接続される第１のネットワーク装置を有し、トラフィックを受信可能である。通信ネットワークは、アクセスネットワークに動作可能に接続される第２のネットワーク装置も有し、トラフィックを伝送可能である。通信ネットワークは第１と第２のネットワーク装置間に動作可能に接続される伝送リンクも有する。第１のネットワーク装置は伝送リンクを介して第２のネットワーク装置にトラフィックを伝送可能である。伝送リンクはアクセスネットワークより大きなトラフィック伝送容量を有する。【選択図】　　　図１
2004040777.tif 000002
【特許請求の範囲】
【請求項１】
分配ネットワークから、少なくとも２つのエンドユーザ端末を有するアクセスネットワークへのネットワークトラフィックの伝送のための通信ネットワーク設備であって、前記分配ネットワークおよび前記アクセスネットワークの各々が、個々のトラフィック伝送容量を備え、前記分配ネットワークのトラフィック伝送容量が、前記アクセスネットワークのトラフィック伝送容量より大きく、
（ａ）前記分配ネットワークに動作可能に接続され、前記エンドユーザ端末に向かう前記分配ネットワークからのネットワークトラフィックを受信することが可能である第１のネットワーク装置と、
（ｂ）前記アクセスネットワークに動作可能に接続され、前記アクセスネットワークにネットワークトラフィックを伝送することが可能である第２のネットワーク装置と、
（ｃ）前記第１のネットワーク装置と前記第２のネットワーク装置との間に動作可能に接続される伝送リンクであって、前記第１のネットワーク装置が前記伝送リンクを介して前記第２のネットワーク装置にネットワークトラフィックを伝送することが可能であり、前記アクセスネットワークのトラフィック伝送容量より大きなトラフィック伝送容量を有する伝送リンクと
を含み、
前記ネットワークトラフィックが、その前記伝送リンクを介した伝送に先立ち、各エンドユーザ端末に関して多重化され、ネットワークトラフィックのための所定のトラフィック管理方式の実施が、前記伝送リンクを介した前記伝送に先立ち、各エンドユーザ端末に関して行われる通信ネットワーク設備。
【請求項２】
前記所定のトラフィック管理方式がスケジューリング方式を含む請求項１に記載の通信ネットワーク設備。
【請求項３】
前記ネットワークトラフィックが、前記伝送リンクを介した伝送に先立ち分解され、その後に再構成される情報伝送単位を含む請求項２に記載の通信ネットワーク設備。
【請求項４】
前記情報伝送単位がセル、フレーム、パケット、バイト、およびビットを含むグループから選択される請求項３に記載の通信ネットワーク設備。
【請求項５】
前記情報伝送単位がＡＴＭセルである請求項４に記載の通信ネットワーク設備。
【請求項６】
前記エンドユーザ端末がｘＤＳＬサービス端末である請求項５に記載の通信ネットワーク設備。
【請求項７】
前記第２のネットワーク装置が、各ｘＤＳＬサービス端末に対応するｘＤＳＬトランシーバを含む請求項６に記載の通信ネットワーク設備。
【請求項８】
前記伝送リンクが物理的リンクである請求項７に記載の通信ネットワーク設備。
【請求項９】
前記物理的リンクが光ファイバリンクを含む請求項８に記載の通信ネットワーク設備。
【請求項１０】
前記光ファイバリンクが少なくとも約１Ｇｂｐｓの伝送容量を有する請求項９に記載の通信ネットワーク設備。
【請求項１１】
分配ネットワークから、少なくとも２つのエンドユーザ端末を有するアクセスネットワークへのネットワークトラフィックの伝送のための通信ネットワーク設備であって、前記分配ネットワークおよび前記アクセスネットワークの各々が個々のトラフィック伝送容量を有し、
（ａ）前記分配ネットワークに動作可能に接続され、前記エンドユーザ端末に向かう分配ネットワークからのネットワークトラフィックを受信することが可能である第１のネットワーク装置と、
（ｂ）前記アクセスネットワークに動作可能に接続され、前記アクセスネットワークにネットワークトラフィックを伝送することが可能である第２のネットワーク装置と、
（ｃ）前記第１のネットワーク装置と前記第２のネットワーク装置との間に動作可能に接続され、前記第１のネットワーク装置が前記伝送リンクを介して前記第２のネットワーク装置にネットワークトラフィックを伝送することが可能である伝送リンクを含み、
前記ネットワークトラフィックが、その前記伝送リンクを介した伝送に先立ち、各エンドユーザ端末に関して多重化され、
少なくとも１つの所定のデータ経路管理機能の実行が、各エンドユーザ端末に関して前記第１のネットワーク装置によって行われる通信ネットワーク設備。
【請求項１２】
前記分配ネットワークのトラフィック伝送容量が、前記アクセスネットワークのトラフィック伝送容量より大きく、前記伝送リンクが前記アクセスネットワークのトラフィック伝送容量より大きなトラフィック伝送容量を有する請求項１１に記載の通信ネットワーク設備。
【請求項１３】
前記ネットワークトラフィックが、前記伝送リンクを介した伝送に先立ち分解され、その後に再構成される情報伝送単位を含む請求項１２に記載の通信ネットワーク設備。
【請求項１４】
前記情報伝送単位がセル、フレーム、パケット、バイト、およびビットを含むグループから選択される請求項１３に記載の通信ネットワーク設備。
【請求項１５】
前記所定のデータ経路管理機能が、ＡＴＭ処理、サービス待ち行列の出力品質、ＯＡＭ処理、トラフィック管理、制御処理、ＤＳＬｍｉｂ（管理情報ベース）の実施、およびＤＳＬトランシーバ制御を含むグループから選択される請求項１４に記載の通信ネットワーク設備。
【請求項１６】
前記所定のデータ経路管理機能が、前記伝送リンクを介して伝送される前記ネットワークトラフィックにスケジューリング方式を適用する形のトラフィック管理を含む請求項１５に記載の通信ネットワーク設備。
【請求項１７】
前記情報伝送単位がＡＴＭセルである請求項１６に記載の通信ネットワーク設備。
【請求項１８】
前記エンドユーザ端末がｘＤＳＬサービス端末である請求項１７に記載の通信ネットワーク設備。
【請求項１９】
前記第２のネットワーク装置が、各ｘＤＳＬサービス端末に対応するｘＤＳＬトランシーバを含む請求項１８に記載の通信ネットワーク設備。
【請求項２０】
前記通信リンクが物理的リンクである請求項１９に記載の通信ネットワーク設備。
【請求項２１】
前記物理的リンクが光ファイバリンクを含む請求項２０に記載の通信ネットワーク設備。
【請求項２２】
前記光ファイバリンクが少なくとも約１Ｇｂｐｓの伝送容量を有する請求項２１に記載の通信ネットワーク設備。
【発明の詳細な説明】
【技術分野】
【０００１】
本発明は一般に通信ネットワークの分野に関し、さらに詳細には、アクセスネットワークから、およびそれへのネットワークトラフィックの伝送のためのネットワーク設備および関連するネットワーク構成要素に関する。
【０００２】
例によれば、本発明は、中継ネットワークなどの分配基幹ネットワークから、１つまたは複数のアクセス端末を有するローカルループなどのアクセスネットワークへの広帯域ネットワークトラフィックの有線回線伝送において好適に配置することができる。所与の例において、本発明の１つの実施形態による遠隔ネットワークユニットは、分配基幹ネットワークの下流に位置するローカルループとのインターフェイスに利用することができる。本発明の他の実施形態による分配ネットワークユニットは、分配基幹ネットワークとのインターフェイスに利用することができる。遠隔ネットワークユニットを、例えば、１または２Ｇｂｐｓのオーダーの総合データ出力スループットに対応するものなどの大容量伝送リンクによって、分配ネットワークユニットに動作可能に接続することができる。
【０００３】
ローカルループの伝送媒体が通常銅製であり、分配基幹ネットワークの伝送媒体が光ファイバなどのより大容量の伝送媒体である場合、本発明の例示的なネットワーク構成および関連するネットワーク構成要素は、分配基幹ネットワークのより大容量の伝送媒体の延長となるように提供され、そのため、分配基幹ネットワークはローカルループのアクセス端末に対して物理的により近くなるという利点がある。これは、ネットワークユーザへのより広帯域幅のアプリケーションの提供の実行可能性を他の場合よりより高くすることができる。
【背景技術】
【０００４】
網羅する距離、作成されるエンドポイントの数、または、投資された価値に関してであっても、世界中の通信ネットワークのための最も支配的な伝送媒体は銅製のものであると言われている。これは、最も初期の大規模電話ネットワークの伝送媒体としての銅の使用からの結果である。現在、銅は中継または分配ネットワークにおいて光ファイバの使用によって大部分が取って代わられているが、公衆交換電話ネットワークのローカルループなどの多くのアクセスネットワークは銅を採用し続けている。世界的に、何千万トンもの銅がそのようなアクセスネットワークに利用されていること、およびこの伝送媒体が典型的なネットワーク運用業者の資産の約半分以上を占めるものと見積もられている。
【０００５】
近代的な通信ネットワークにおける伝送または分配媒体として、銅は、公衆交換電話ネットワークを介して僅か約３５ｋｂｐｓから５６ｋｂｐｓの理論的最大情報速度しか提供しないという課題を提示した。デジタルビデオおよび高速インターネットアクセスなどのより広帯域幅のアプリケーションをそのようなネットワークで分配することに対する市場の要求のため、既存の銅に基づくネットワークからより広帯域幅のデータ伝送を抽出するために多くの技術が登場した。例えば、いくつかのデジタル加入者線またはループ（ＤＳＬ）構成が過去１０年間に導入され、その各々が、上流データ速度、下流データ速度、および運用範囲の異なった組合せを提供している。総合して、デジタル加入者線構成のこのファミリは時々ＸＤＳＬと呼ばれ、本明細書においても、全てのそのようなデジタル加入者線構成を示すためにそのように呼ぶ。
【０００６】
【文献１】
１９９５年６月刊行の「ＡＴＭ　Ｆｏｒｕｍ　Ｔｅｃｈｎｉｃａｌ　Ｃｏｍｍｉｔｔｅｅ　Ｐｕｂｌｉｃａｔｉｏｎ　ａｆ−ｐｈｙ−００３９．０００」１．０版
【考案の開示】
【発明が解決しようとする課題】
【０００７】
上記に紹介したような様々なｘＤＳＬ構成は、典型的に数キロメータを超える距離では動作できない。例えば、高速デジタル加入者ループ（ＨＤＳＬ）技術においては、２Ｍｂｐｓ付近のデータレートが２または３組の容量を組み合わせることによって達成することができる。しかし、これは約３ｋｍの距離を介してのみ持続可能である。超高速デジタル加入者ループ（ＶＤＳＬ）技術を使用すると、下流方向には２３Ｍｂｐｓおよび上流方向には３Ｍｂｐｓの典型的なデータ速度が達成できるが、そのような速度においては１キロメータ付近の距離に対してのみである。
【０００８】
前述の制約のもとでは、分配基幹ネットワークがアクセスネットワークの伝送媒体よりより大容量の伝送媒体を採用している場合、分配基幹ネットワークとアクセスネットワーク内に展開されるアクセス端末との間の有効距離の短縮を試みることが当技術分野において必要となっている。銅に基づくローカルループで構成される電話アクセスネットワークの例示的な場合において、サービスプロバイダの中央事務所は、様々な手段によってエンドユーザ加入者のより近くに効果的に持って来られる。
【０００９】
例えば、当技術分野において、規模を調整された中央事務所構成を採用することが知られており、これによって、中央事務所のシステムは、より少ないユーザデータポートを提供するために既存の大規模交換機を再構成することによって規模を縮小される。したがって、規模を調整された装置が中央事務所から離れて、エンドユーザ加入者のより近くに配置される。この知られている解決法には、いくつかの短所がある。第１に、規模を調整された構成は、適合された既存の大規模装置が採用するのと同じ制御システムおよび電力システムなどの装置インフラ構成を採用している。これは、規模を調整された装置の調達費用および電力要件を、大規模装置のそれらに匹敵する範囲に維持する傾向にある。第２に、規模を調整された装置の物理的大きさは大規模装置のそれと通常は同じであり、そのため、規模を調整された知られている構成の解決法は、物理的大きさの低減に関して認識できる利点を典型的に提供しない。したがって、当技術分野で知られているような規模を調整された構成の解決法は、装置の調達費用、運用上の電力要件、または、装置の物理的大きさに関して有意な節約を一般に提供しない。
【００１０】
従来技術における他の種類の解決法は、中継器の設けられた構成の解決法である。そのような解決法のもとでは、ｘＤＳＬサービスのために提供されるような加入者線は、中継器がもうけられるか、または、他の何らかの媒体を介して搬送され、中央事務所の装置よりエンドユーザ加入者に近い遠隔の位置で後に中継される。この従来技術の種類の解決法は、既存の中央事務所装置に加えて、中継器装置を購入、設置、および維持する必要があることにおいて不利である。
【００１１】
したがって、前述の従来技術の解決法に基づき、分配基幹ネットワークがアクセスネットワークの伝送媒体よりより大容量の伝送媒体を採用している場合に、分配基幹ネットワークとアクセスネットワーク内に配置されるアクセス端末との間の有効距離を低減する問題に対する代案となる手法の必要性がある。
【課題を解決するための手段】
【００１２】
ローカルループの伝送媒体が通常銅であり、分配基幹ネットワークの伝送媒体が光ファイバなどのより大容量の伝送媒体である場合、本発明による例示的ネットワーク構成および関連するネットワーク構成要素は、分配基幹ネットワークのより大容量の伝送媒体の延長となるように提供され、そのため、分配基幹ネットワークはローカルループのアクセス端末に対して物理的により近くなるという利点がある。これは、ネットワークユーザへのより広帯域のアプリケーションの提供の実行可能性を他の場合よりより高くすることができる一方、上記に説明した従来技術の解決法に関連した課題および問題のいくつかを軽減することを意図する。
【００１３】
例示により、限定することなく、本発明の実施形態を添付の図面を参照して以下に説明する。
【発明を実施するための最良の形態】
【００１４】
図１は、本発明の実施形態によるネットワークトポロジ２の実施例を示し、ネットワークトポロジ２は分配ネットワークおよび分配ネットワークユニット１０および対応する遠隔ネットワークユニット２０が配置される、アクセスネットワークを含む。ネットワークトポロジ２は伝送サービスの帯域またはクラスに関して異なった要件を有するようなトラフィックを備え、分配ネットワークユニット１０を介してアクセスネットワークに向かう様々な形のトラフィックを供給することができる。放送ビデオトラフィック４および双方向トラフィック９は広帯域ネットワークトラフィックを構成し、分配ネットワーク５および６を含む分配基幹ネットワークを介して分配ネットワークユニット１０に供給されるが、当業者に明らかであるようにネットワーク５および６は組み合わせることができる。例えば、放送ビデオトラフィックを、非同期搬送モード（ＡＴＭ）、時分割多重（ＴＤＭ）、イーサネット（登録商標）、または、他の適する通信プロトコルを採用するものなどの適する（ネットワーク「Ａ」とも表される）分配ネットワーク６から、ＯＣ−１２インターフェイス４などによって分配ネットワークユニット１０に送出することができる。放送ビデオトラフィックは、ヘッドエンド３からリンク８を介して伝送されるようなテレビ放送または近接ビデオオンデマンド（ＮＶｏＤ）に属するものなどのサービスを含むことができる。双方向トラフィックも、例えば様々な形の双方向トラフィックが当初向けられる（ネットワーク「Ｂ」とも表される）分配ネットワーク５からＯＣ−３インターフェイス９などによって分配ネットワークユニット１０に送出することができる。例えば、分配ネットワーク５は、ヘッドエンド３から、ビデオオンデマンド（ＶｏＤ）の性質のサービスに対応するリンク１１を介してトラフィックを受信することができる。分配ネットワーク５は、例えば（図示しない）基幹ネットワークからリンク７を介して高速インターネット（ＨＳＩ）トラフィックを受信することもできる。上述したアクセスネットワークへの、または、それからのトラフィックの提供または送出に適する他の多くのネットワークトポロジは、当業者に明らかである。
【００１５】
以下にさらに十分に説明するように、複数の遠隔ネットワークユニット２０を、分配ネットワークユニット１０に動作可能に接続することができる。各遠隔ネットワークユニット２０はローカル銅製ループ３０などのアクセスネットワークに接続される。ローカル銅製ループ３０自体は、１つまたは複数のユーザ端末３２の形でもよい顧客構内装置に接続する。各遠隔ネットワークユニット２０は、大容量伝送リンク３６、すなわち、アクセスネットワークに関した容量よりより大きな容量を有する伝送リンクの手段によって、その対応する分配ネットワークユニット１０に接続される。例えば、伝送リンク３６は１または２Ｇｂｐｓのオーダーの総合データ出力に対応することが可能である総合光ファイバリンクとすることができる。例えば、無線リンク、受動光ネットワーク（ＰＯＮ）技術に基づくリンクなどの当業者に知られている他のいかなる適切なリンクも伝送リンク３６として配置することができる。
【００１６】
図２は本発明の実施形態による遠隔ネットワークユニット２０のブロック構成を示す。このブロック構成は、アクセスネットワークの下流のターミナルエンドから遠隔ネットワークユニット２０の上流の出力エンドに向かって以下に説明する。しかし、当業者は、双方向性トラフィックが関係する限り、遠隔ネットワークユニット２０内およびこれを介するトラフィックの流れが、その性質において双方向性であることを理解するであろう。
【００１７】
表現「下流」は、一般に分配ネットワーク５および６から遠隔ユーザ端末３２への方向に向かうトラフィックの流れに言及するための参照の容易さのために本明細書において採用する。逆に、表現「上流」は、一般に遠隔ユーザ端末３２から分配ネットワーク５および６への方向に向かうトラフィックの流れに言及するために本明細書において採用する。さらに、表現「ループ側」は、銅製ループ３０に対して上流方向に位置する伝送リンク３６と比較した時に銅製ループ３０により近いと考えられる構成要素またはモジュールに関して本明細書において採用する。逆に、表現「分配側」は、伝送リンク３６より銅製ループ３０により遠いと考えられる構成要素またはモジュールに関して本明細書において採用する。
【００１８】
ローカル銅製ループ３０などのアクセスネットワークの下流ターミナルエンドには、１つまたは複数のユーザ端末３２の形であってもよい顧客構内装置が位置する。ユーザ端末３２の各々からのローカル銅製ループ３０は、３４におけるように遠隔ネットワークユニット２０に接続される。例示の目的のために単一の接続３４を図２に示すが、当業者は、各ＣＰＥ３２が遠隔ネットワークユニット２０に通常独立に接続されることを理解しよう。ローカル銅製ループ３０の回線が当技術分野で知られているように一次保護ブロック２２を必要とする場合、これらのブロックは遠隔ネットワークユニット２０に設けることができる。遠隔ネットワークユニット２０を配置する回線技術によって、分離器２４も遠隔ネットワークユニット２０内に設けることができる。ローカル銅製ループ３０などのアクセスネットワークが単純な旧式電話サービス（ＰＯＴＳ）に対応している場合、分離器２４は、遠隔ネットワークユニット２０によって分離器２４を介して受信されるデータサービストラフィックから従来のＰＯＴＳ電話サービストラフィックを分離する。ＰＯＴＳ電話サービストラフィックは、遠隔ネットワークユニット２０によってさらに処理されることなく、２６におけるように、対応するＰＯＴＳネットワークに振り向けられる。同様に、サービス総合デジタルネットワーク（ＩＳＤＮ）がアクセスネットワーク内に配置される場合、分離器２４は、同様に遠隔ネットワークユニット２０によるＩＳＤＮトラフィックのさらなる処理を回避するためにＩＳＤＮトラフィックに経路を開くことができる。
【００１９】
例えば、ｘＤＳＬの形のデータサービストラフィックは分離器２４から、ｘＤＳＬデータの場合、通信分野に長けた当業者によく知られている１つまたは複数のｘＤＳＬトランシーバ２８の形で設けられる処理ブロックに進むことができる。各ｘＤＳＬトランシーバ２８は、対応するｘＤＳＬサービスを実施するために必要な関連するｘＤＳＬチップセット、回線ドライバ、および（図示しない）他の外部回路を含み、その全ては当業者に知られている。例えば、１つまたは複数のｘＤＳＬトランシーバ２８はＰＯＴＳ回線上で機能するＡＤＳＬポートなどの（図示しない）９６個のユーザデータポートに対応することができる。同じく熟練当業者に知られているように、各ｘＤＳＬトランシーバ２８は環境設定、警報、統計収集の機能を提供するために（図示しない）管理インターフェイスを通常含む。各ｘＤＳＬトランシーバ２８のそのような管理インターフェイスは、例えば、それぞれ帯域内または帯域外の技術の既知の方法によって、ローカルに、または、遠隔に制御することができる。帯域内制御の場合、ｘＤＳＬトランシーバ２８のＤＳＬチップセットは直接遠隔プロセッサから、およびローカルプロセッサの介入なしに通常環境設定される。帯域外制御の場合、前述のｘＤＳＬチップセットはｘＤＳＬチップセット宛ての制御メッセージとなる、遠隔プロセッサとローカルプロセッサとの間の特定の信号方式を使用して通常は環境設定される。各ｘＤＳＬトランシーバ２８の前述の管理インターフェイスは、以下にさらに詳細に説明するループ側コントローラユニット２７の手段によってアクセスすることができる。そのようなトランシーバの遠隔制御は、伝送リンク３６を介して遠隔ネットワークユニット２０に伝送される適切に作成されたメッセージを介して分配ネットワークユニット１０によって提供することができる。
【００２０】
ｘＤＳＬトランシーバ２８から上流において、個々のｘＤＳＬポートからのセルは、以下にさらに詳細に説明するループ側多重化器／多重化解除器ユニット２９において多重化される。当業者によく知られている（図２に図示しない）適切なリンク終端器は、伝送リンク３６とループ側多重化器／多重化解除器ユニット２９との間に配置することができる。例示的なリンク終端器は、ループ側多重化器／多重化解除器ユニット２９の一部として以下に識別される（図３）。多重化されたセルは、その後、前述したように、伝送リンク３６を介して分配ネットワークユニット１０に伝送される。下流方向では、ループ側多重化器／多重化解除器ユニット２９は、分配ネットワークユニット１０から伝送リンク３６を介して受信されたセルの多重化を解除する。そのような多重化を解除されたセルは、その後、上記に説明したように個々のｘＤＳＬポートに対応するｘＤＳＬトランシーバ２８に伝送される。
【００２１】
遠隔ネットワークユニット２０の例示的実施形態によれば、渋滞および待ち行列点は、所望であればジッタバッファを除き、通過するトラフィックストリームには導入されない。むしろ、伝送リンク３６の総合容量および遠隔ネットワークユニット２０の内部構成は、ｘＤＳＬトランシーバ２８によって対応される全てのｘＤＳＬポートの全帯域容量が満たされるようになっている。当業者は、伝送リンク３６に対する前述の容量の考察が好ましい実施を構成し、本発明により、問題の対応するｘＤＳＬポートの容量より小さくてよい下流リンク容量を提供することができることを理解する。
【００２２】
ループ側多重化器／多重化解除器ユニット２９およびループ側コントローラユニット２７の構成の詳細は図３を参照して次に説明する。伝送リンク３６は、適する光インターフェイスモジュールに動作可能に結合される、例えば、米国テキサス州ダラスのＴｅｘａｓ　Ｉｎｓｔｒｕｍｅｎｔｓ　Ｉｎｃｏｒｐｏｒａｔｅｄから市販されているＴＬＫ１２０１ＳＥＲＤＥＳデバイスなどのループ側シリアル化器／デシリアル化器（ＳＤ）インターフェイス２１などの、双方向データ伝送のための適するインターフェイスの手段によって、分配ネットワークユニット１０から遠隔ネットワークユニット２０に接続することができる。この双方向インターフェイスの構成を使用することにより、伝送リンク３６が分配ネットワークユニット１０と遠隔ネットワークユニット２０との間で各方向において１．２５Ｇｂｐｓの８Ｂ／１０Ｂ符号化データで動作することを可能にすることが好ましい。当業者は、他のいかなる適切なインターフェイスも本発明による使用のために設けることができること、および伝送リンク３６が単一の双方向リンクまたは複数の一方向リンクを所望の如く含められることを理解する。
【００２３】
伝送リンク３６から下流に向かう方向において、遠隔ネットワークユニット２０のループ側シリアル化器／デシリアル化器インターフェイス２１を介して、個々のバイトとして受信されるセルデータはループ側リンク受信モジュール４０によって処理される。個々のバイトとして受信されるセルデータの形のトラフィックが本明細書における例示的実施形態によって考えられているものであっても、熟練当業者は、本発明がパケット、フレーム、または、他のいかなる情報伝送単位にも同様に適用可能であること、およびトラフィックのビットごとの受信も本発明に組み込めることを理解する。ループ側リンク受信モジュール４０はいかなる必要なフレーム配列機能も実施し、ループ側シリアル化器／デシリアル化器インターフェイス２１によって受信される個々のバイトからのフレーム配列に従いセルを再構築する。セルデータに結合したポート識別子も、以下にさらに十分に説明するように、下流へのセルの経路決定の目的のためにループ側リンク受信モジュール４０によって抽出される。セルの再構築に続いて、当技術分野において知られている適切なエラー制御がループ側リンク受信モジュール４０によって行われ、エラーを伴って受信される、または、空のいかなるセルも廃棄される。エラーのないセルおよび空でないセルは、その後、ループ側リンク受信モジュール４０から、遠隔ネットワークユニット２０のために下流のセルの流れを管理するループ側多重化解除器モジュール４２に伝送される。好ましくは、ループ側多重化解除器モジュール４２はいかなるバックプレッシャの指示もループ側シリアル化器／デシリアル化器インターフェイス２１へ示さない。これは、ループ側多重化解除器モジュール４２が、伝送リンク３６の最高速度で伝送される両方向セルを許容できることを必要とする。
【００２４】
ループ側多重化解除器モジュール４２は、ループ側リンク受信モジュール４０から伝送され、受信され、最構築された下流セルの経路を決定する。セルは、既に説明したように抽出されたポート識別子に基づいていくつかの宛先の１つへ、ブロック４１において経路決定される。例えば、制御セルを特徴ずけるために使用することができるポート識別子と結合したセルは、ループ側コントローラユニット２７へ経路決定される。そのような制御セルは、ループ側コントローラユニット２７に結合した制御セル待ち行列５０へ、４９において好ましくは経路決定される。例えば、制御セル待ち行列５０は先入れ先出し（ＦＩＦＯ）レジスタとして設けることができる。モニタまたは試験の目的のためのセルを特徴ずけるために使用することができるポート識別子に対応するポート識別子にセルが結合している場合、そのようなセルは、ブロック５４を介してループ側試験トラフィックモニタ４６などへ、４５において経路決定される。試験トラフィックモニタ４６の機能は以下にさらに詳細に説明する。
【００２５】
ユーザデータセルに対応するポート識別子に結合した、ループ側リンク受信モジュール４０からの下流に向かうセルは、複数のデータセル待ち行列４４の１つにそれぞれ４３において書き込むことができ、これによって、そのような各待ち行列は、今度は、遠隔ネットワークユニット２０の既に述べたＡＤＳＬポートの１つなどの外部ユーザデータポートに対応する。データセル待ち行列４４は、外部ＳＲＡＭなどにおいて先入れ先出し（ＦＩＦＯ）レジスタとして設けることができる。その後、セルは、それらの個々のデータセル待ち行列４４からブロック７２を介して出ループ側待ち行列７０に伝送される。出ループ側待ち行列７０は、先入れ先出し（ＦＩＦＯ）レジスタとして設けることができる。そのような出ループ側待ち行列７０から、セルが、当業者に知られ、１９９５年６月の「ＡＴＭ　Ｆｏｒｕｍ　Ｔｅｃｈｎｉｃａｌ　Ｃｏｍｍｉｔｔｅｅ　Ｐｕｂｌｉｃａｔｉｏｎ（ＡＴＭ技術委員会出版物）　ａｆ−ｐｈｙ−００３９．０００」１．０版に述べられるＵＴＯＰＩＡ（Ｕｎｉｖｅｒｓａｌ　Ｔｅｓｔ　＆　Ｏｐｅｒａｔｉｏｎ　ＰＨＹ　Ｉｎｔｅｒｆａｃｅ　ｆｏｒ　ＡＴＭ：ＡＴＭのための汎用試験および運用物理インターフェース）　レベル２　物理層インターフェースに準拠するものなどの適するループ側インターフェイス５６に転送される。同文献は本明細書に参照として組み込まれている。
【００２６】
下流方向において、ループ側インターフェイス５６はセルをループ側多重化解除器モジュール４２からＤＳＬトランシーバ２８に伝送する。遠隔ネットワークユニット２０が９６個のＡＤＳＬポートに対応する上記に説明した例示的実施形態において、そのような下流へのセルは、４つの双方向ＵＴＯＰＩＡ　レベル２に従うポート５２を含むループ側インターフェイス５６を介して、ループ側多重化解除器モジュール４２からＤＳＬトランシーバ２８に伝送することができる。好ましくは、出ループ側待ち行列７０は、上記に述べた例において、２４個のＡＤＳＬポートが４つの出ループ側待ち行列７０の各々に割り当てられるように、ループ側インターフェイス５６が設けられたポート５２の数に、数で対応する。
【００２７】
ループ側多重化解除器モジュール４２のデータセル待ち行列４４の各々からのセルを、当業者に知られているラウンドロビンアルゴリズムを維持する作業に基づくものなどの適するサービス実行方式を使用して、対応する出ループ側待ち行列７０に伝送するために下流方向において処理することができる。ループ側多重化解除器モジュール４２も、既に述べたＡＤＳＬポートなどの遠隔ネットワークユニット２０の各外部ユーザデータポートをポーリングする処理を行うことが好ましい。遠隔ネットワークユニット２０によるそのようなポーリングの結果は、当業者によって理解されるように、各外部ユーザデータポートに対するバックプレッシャの条件を示すために利用される。例えば、特定の外部ユーザデータポートのためのバックプレッシャの指示は、その同じポート宛てのセルが適切な出ループ側待ち行列７０からループ側インターフェイス５６に伝送された場合、解除される。同様に、かつ、例として、特定の外部ユーザデータポートのためのバックプレッシャの指示は、関連するデータセル待ち行列４４から適切な出ループ側待ち行列７０へのセルの伝送のためのその同じポートの選択の際に活性化することができる。特定の外部ユーザデータポートがバックプレッシャの条件のもとにある場合、その同じポートのための関連するデータセル待ち行列４４は、対応する出ループ側待ち行列７０への伝送のために、前述のように、処理されない。
【００２８】
ループ側多重化器／多重化解除器ユニット２９も、これから説明するように、ループバックトラフィックを管理するための処理を行う。特定のユーザデータポートが上流に向かうトラフィックの流れへのループバックのために選択される場合、結合されたポート識別子が選択されたユーザデータポートに対応するセルは、上流方向の伝送のために、ループ側多重化解除器モジュール４２からループ側多重化器４８へ経路決定される。問題のループバックセルは、ブロック５４を介してループバックセル待ち行列４１において受信することができ、ループバックセル待ち行列４１は、ループ側多重化器モジュール４８に関連する先入れ先出し（ＦＩＦＯ）レジスタとして設けることができる。そのようなループバックセルは、既に説明したように、データセル待ち行列４４を好ましく受信しない。前述しないポート識別子を有する他の全てのセルは、下流に向かうトラフィックの流れからループ側多重化解除器モジュール４２によって廃棄することができる。
【００２９】
ＤＳＬトランシーバ２８からループ側多重化器／多重化解除器ユニット２９に伝送される上流に向かうセルは、ループ側インターフェイス５６を介して受信することができる。ループ側インターフェイス５６から上流に向かうセルは、遠隔ネットワークユニット２０のための上流へのセルの流れを管理するループ側多重化器モジュール４８に送られる。ループ側多重化器モジュール４８は、上記に述べた４つのＵＴＯＰＩＡ　レベル２に準拠したポート５２をポーリングし、例えば、当業者に知られているような作業量が少ない二進法ラウンドロビンアルゴリズムに基づくものなどの所望のセルサービス実行方式に従って、これらの中から特定のポート５２を選択することができる。セルはこのようにして、ＵＴＯＰＩＡ　レベル２に準拠したポート５２から、ループ側多重化器モジュール４８に関連した独立の先入れ先出し（ＦＩＦＯ）レジスタとして設けることができ、ＵＴＯＰＩＡ　レベル２に準拠したポート５２と一対一にマッピングされるそれぞれの出上流待ち行列５８に伝送される。出上流待ち行列５８は、ポート５２の前述したようなポーリングの目的のためにバックプレッシャ情報を好ましくは提供する。
【００３０】
出ループ側待ち行列５８の各々は、それ自体サービス実行ブロック６０において、既に述べたループバックセル待ち行列４１およびループ側制御セル待ち行列５１とともに、処理される。ループ側制御セル待ち行列５１は、例えば、ループ側コントローラユニット２７のセル生成器６１から、６２において伝送されるＡＡＬ５セルを受信する。サービス実行ブロック６０は、出上流待ち行列５８、ループバックセル待ち行列４１、または、制御セル待ち行列５１のいずれであろうと、次に処理が行われる特定の上流待ち行列に選択するための作業量の少ない重み付けされたラウンドロビンアルゴリズムを好ましくは実行する。
【００３１】
ループ側多重化器モジュール４８は試験セルの上流への伝送のためのループ側試験トラフィック生成器６４を好ましくは含む。ループ側試験トラフィック生成器６４が配置される場合、関連するサービス実行ブロック６６は、試験トラフィック生成器６４から、およびサービス実行ブロック６６の上流に位置し、ループ側インターフェイス５６により近いサービス実行ブロック６０から、進行するセルの選択のための所望のサービス実行方式を実施するために利用することができる。サービス実行ブロック６６によって実施されるサービス実行方式は、好ましくは、当業者に知られているような作業量の少ない重み付けされたラウンドロビンアルゴリズムに基づくものである。同様に、ループ側試験トラフィック生成器６４がループ側多重化器モジュール４８の一部を形成するためである場合、所望の速度でループ側試験トラフィック生成器６４からの上流試験トラフィックの挿入を可能にするように、試験トラフィック生成器６４が動作可能にされるといつでも好ましくは、サービス実行ブロック６０はバックプレッシャを受けることができる。
【００３２】
ループ側多重化器モジュール４８のサービス実行ブロック６６から進行するセルは、好ましくは先入れ先出し（ＦＩＦＯ）レジスタとして設けることができるループ側多重化器出力待ち行列６７を介して、ループ側リンク伝送モジュール６８に伝送される。ループ側リンク伝送モジュール６８は、ヘッダエラー制御（ＨＥＣ）のチェックおよびスロットエラー制御（ＳＥＣ）の挿入を行う。同様に、下流リンク伝送モジュール６８は適切なセルフレーミングパターンを生成し、伝送リンク３６への伝送のために下流シリアル化器／デシリアル化器インターフェイス２１にデータセルおよび空きセルを伝送する。
【００３３】
既に紹介したように、ループ側試験トラフィックモニタ４６は、ループ側多重化器モジュール４８の一部を好ましくは形成する。動作可能にされた時、ループ側試験トラフィックモニタ４６は、任意の背景試験トラフィックを監視するために機能する。モニタされる背景試験トラフィックはループ側試験トラフィックモニタ４６において停止され、出上流待ち行列５８の方向にはループ側多重化器モジュール４８によって転送されない。好ましくは、ループ側試験トラフィックモニタ４６は試験トラフィックセルが受信されるループ側多重化解除器モジュール４２へのバックプレッシャの指示を出さない。
【００３４】
既に述べたように、遠隔ネットワークユニット２０のループ側多重化器／多重化解除器ユニット２９およびループ側コントローラユニット２７は、フィールドプログラマブルゲートアレー、または、当業者に知られているようなＡＳＩＣなどの他の適するデバイスの手段によってまとめて実施することができる。
【００３５】
図４を参照して、本発明の実施形態による分配ネットワークユニット１０のブロック構成を次に説明する。このブロック構成を、既に述べたように放送トラフィックおよび双方向トラフィックの個々の分配のための上流インターフェイス４および９から、および下流のそれらのインターフェイスから、伝送インターフェイス３６に進んで以下に説明する。しかし、当業者は、双方向トラフィックが関係する限り、分配ネットワークユニット２０内およびこれを介したトラフィックの流れが双方向の性質を持つことを理解する。
【００３６】
リンク４を介して伝送される放送トラフィックは、適する放送サービスインターフェイス８０を介して分配ネットワークユニット１０によって受信することができる。したがって、放送サービスインターフェイス８０は、放送トラフィックを受信し、これを放送バス（ＢＢ）９０などに転送する。リンク９を介して伝送される双方向トラフィックは、当業者に知られているように適するネットワークインターフェイス８２を介して分配ネットワークユニット１０によって受信され、伝送されることができる。したがって、下流に向かう方向において、ネットワークインターフェイス８２はリンク９を介して双方向トラフィックを受信し、これを双方向バス（ＩＢ）９２などに転送する。
【００３７】
トラフィックプロセッサ９４は、放送バス９０および双方向バス９２の各々から下流に向かう方向において受信されるトラフィックを融合させるために利用することができる。分配ネットワークユニット１０がリンク４についてはＡＴＭトラフィックを受信し、リンク９についてはＡＴＭトラフィックを伝送および受信の双方を行う図１の例示的実施形態では、トラフィックプロセッサ９４はＡＴＭセルの処理も行う。例えば、当業者に理解されるように、トラフィックプロセッサ９４はバス９０および９２から受け取られるＡＴＭセルを行列に待機させる。そのような行列待機はサービス品質クラスに基づき、およびユーザデータポートに基づき好ましくは行われる。図１の例示的実施形態の場合において、ユーザデータポートは既に述べたようにＡＤＳＬポートであってよい。ＡＴＭトラフィックの流れにおいて、トラフィックプロセッサ９４は、熟練当業者によく知られているようにサービス品質およびトラフィック契約を考慮してトラフィックのスケジューリングを行う。同じく当業者に知られているヘッダ翻訳およびＶＰＩ／ＶＣＩマッピングは、同様に当業者によく知られている運用、監督、および管理（ＯＡＭ）機能への対応とともに、ＡＴＭトラフィックの場合はトラフィックプロセッサ９４によって好ましくは行われる。マルチキャストＡＴＭトラフィックについて、トラフィックプロセッサ９４は、さらに知られているセル複製機能を行うことができる。好ましくは、トラフィックプロセッサ９４の出力容量は、トラフィックプロセッサ９４が伝送リンク３６によって対応される総合伝送速度の視点において、分配ネットワークユニット１０内に渋滞点を構成しないようなものとなる。
【００３８】
当業者は、例えば、単一のそのようなトラフィックプロセッサ９４のユーザデータポート処理容量が遠隔ネットワークユニット２０の対応するユーザデータポートの総数を下回る場合などに、分配ネットワークユニット１０が（図示しない）２つ以上のトラフィックプロセッサ９４を配置できることを理解する。例えば、特定の実施において、トラフィックプロセッサ９４は図１の既に述べた例示的実施形態のＡＤＳＬポートなどの１２個のユーザデータポートを取り扱うことが可能な場合、例示的実施形態による遠隔ネットワークユニット２０の総数９６個のＡＤＳＬポートを取り扱うために、合計８個の（図示しない）トラフィックプロセッサ９４が分配ネットワークユニット１０内に配置される。各トラフィックプロセッサ９４は、（図示しない）アプリケーションに特有な集積回路（ＡＳＩＣ）などの形で設けることができる。
【００３９】
分配ネットワークユニット１０のトラフィックプロセッサ９４は、好ましくは分配側多重化器／多重化解除器ユニット９６とのインターフェイスになる。遠隔ネットワークユニット２０に関して既に紹介したＵｔｏｐｉａ　レベル２に準拠したインターフェイスなどの適切な分配側インターフェイス１２４（図５）は、トラフィックプロセッサ９４と分配側多重化器／多重化解除器ユニット９６との間でセルを伝送するために配置することができる。以下にさらに詳細に説明するように、分配側多重化器／多重化解除器ユニット９６はトラフィックプロセッサ９４からの融合されたトラフィックを受け取り、トラフィックプロセッサ９４への上流に向かう伝送のために伝送リンク３６を介して受け取られる双方向トラフィックの多重化を解除するという作業を行う。
【００４０】
以下にさらに説明する分配側コントローラユニット９８は、オンラインおよびオフライン試験のサポート、保守メッセージのモニタおよび処理、および分配側多重化器／多重化解除器ユニット９６および伝送リンク３６を介した遠隔ネットワークユニット２０との通信などの作業を取り扱うために分配ネットワークユニット１０において利用することができる。以下にさらに詳細に説明するように、トラフィック整形ユニット１００は、伝送リンク３６を介した分配側多重化器／多重化解除器ユニット９６からの下流に向かうセルの流れに関してトラフィックのスケジューリングを行う。
【００４１】
分配側セル多重化器／多重化解除器ユニット９６、分配側コントローラユニット９８、およびトラフィック整形ユニット１００の構成の詳細は図５を参照して次に説明する。遠隔ネットワークユニット２０からの伝送リンク３６は、双方向データ伝送のための適するインターフェイスの手段によって分配ネットワークユニット１０に接続することができる。遠隔ネットワークユニット２０のループ側シリアル化器／デシリアル化器インターフェイス２１に関連して上記に説明したように、適する光インターフェイスモジュールに動作可能に結合される既に述べたＴＬＫ１２０１　ＳＥＲＤＥＳ装置などの分配側シリアル化器／デシリアル化器（ＳＤ）インターフェイス８４は、分配ネットワークユニット１０を遠隔ネットワークユニット２０に接続するために使用することができる。分配ネットワークユニット１０の分配側シリアル化器／デシリアル化器インターフェイス８４は、遠隔ネットワークユニット２０のループ側シリアル化器／デシリアル化器インターフェイス２１に関して既に述べたものと全く同じ機能を行う。ループ側シリアル化器／デシリアル化器インターフェイス２１に関して既に述べたように、分配側シリアル化器／デシリアル化器インターフェイス８４のための他の適する装置は当業者に既知である。
【００４２】
伝送リンク３６から分配ネットワークユニット１０の分配側シリアル化器／デシリアル化器インターフェイス８４を介して上流に向かう方向の個々のバイトとして受信されるセルデータは、分配側リンク受信モジュール８６によって処理される。分配側リンク受信モジュール８６は、遠隔ネットワークユニット２０に関して上記に説明した対応部分であるループ側リンク受信モジュール４０と同じ機能を行う。セルデータに結合されたポート識別子も、以下により十分に説明するように上流セルの経路決定の目的のために分配側リンク受信モジュール８６によって抽出される。既に述べたループ側リンク受信モジュール４０の場合のように、エラーのないおよび空きでないセルは、その後、さらなる処理のために分配側リンク受信モジュール８６から伝送される。これらのエラのないおよび空きでないセルは、分配ネットワークユニット１０のために上流へのセルの流れを管理する分配側多重化解除器モジュール１２０に転送される。好ましくは、分配側多重化解除器モジュール１２０は分配側シリアル化器／デシリアル化器インターフェイス８４にいかなるバックプレッシャの指示も出さない。これは、分配側多重化解除器モジュール１２０が伝送リンク３６の最高速度で伝送される連続したセルを許容できることを必要とする。
【００４３】
分配側多重化解除器モジュール１２０は、分配側リンク受信モジュール８６から伝送され、受信され、最構築された下流へのセルの経路を決定する。既に説明したように、抽出されたポート識別子に基づいていくつかの宛先の１つへブロック１１０においてセルが経路決定される。セルのポート識別子が試験トラフィックを示す場合、そのセルはブロック１１０を介して第１の分配側試験トラフィックモニタ（ＴＴＭ）１１２へ経路決定される。動作可能にされると、分配側試験トラフィックモニタ１１２は伝送リンク３６を介して遠隔ネットワークユニット２０から上流に向かう方向で受信される任意の背景試験セルの監視を行う。モニタされる背景試験トラフィックは分配側試験トラフィックモニタ１１２において停止され、分配側多重化解除器モジュール１２０によって出分配側待ち行列１１８の方向へは転送されない。
【００４４】
問題のポート識別子が制御セルを示す場合、そのセルは分配側多重化解除器モジュール１２０によってブロック１１０を介して先入れ先出し（ＦＩＦＯ）レジスタとして実施することができる分配側制御セル待ち行列１１４へ経路決定される。分配側制御セル待ち行列１１４がオーバーフローを起こす場合、これ宛ての制御セルは廃棄され、オーバーフローの指示は分配側多重化解除器モジュール１２０によって分配側コントローラユニット９８に供給することができる。分配側制御セル待ち行列１１４は、次に、例えば当業者によく知られているＡＡＬ５機能を行う分配側コントローラユニット９８の制御セル受信ユニット１５２に制御セルを供給する。
【００４５】
もしポート識別子がユーザデータセルを示す場合、問題のセルは、分配側多重化解除モジュール１２０によって上流に向かう方向に１１６において出分配側待ち行列１１８へブロック１１７を介して経路決定される。（図示しない）２つ以上のトラフィックプロセッサ９４が上記に説明したように配置される場合、複数の対応する出分配側待ち行列１１８を設けることができ、出分配側待ち行列１１８の各々は所与のトラフィックプロセッサ９４に専用となる。８個のトラフィックプロセッサ９４が遠隔ネットワークユニット２０の９６個のＡＤＳＬポートに関するトラフィックを取り扱うために分配ネットワークユニット１０において利用される上記に紹介した例において、８個の対応する出分配側待ち行列１１８は分配ネットワークユニット１０内に設けることができる。いずれかの出分配側待ち行列１１８がオーバーフローを起こす場合、問題のセルは廃棄され、オーバーフローの指示が分配側コントローラユニット９８に供給される。出分配側待ち行列１１８から、ユーザデータセルのトラフィックは、次に、上流に向かう方向に分配側インターフェイス１２４に向けられる。そこから、ユーザデータセルのトラフィックは、例示的実施形態においてはＵｔｏｐｉａ　レベル２に準拠する、個々の双方向リンク１２６を介して対応するトラフィックプロセッサ９４に向けられる。
【００４６】
分配側リンク受信モジュール８６から受信され、上記に説明した試験トラフィックセル、ユーザデータセルまたは制御セルの分類の１つに該当するポート識別子を持たないセルは分配側多重化解除器モジュール１２０から廃棄される。廃棄する旨の指示は分配側コントローラユニット９８に出すことができる。
【００４７】
下流に向かう方向において、双方向リンク１２６を介して分配側多重化器／多重化解除器ユニット９６によって受信されるセルのトラフィックは分配側インターフェイス１２４を介して入分配側待ち行列１２８に伝送される。入分配側待ち行列１２８は、双方向リンク１２６の各々に対応する待ち行列を備えた先入れ先出し（ＦＩＦＯ）レジスタとして設けることができる。入下流待ち行列１２８からの行列待機するセルは分配側多重化器モジュール１２２のブロック１３０を介して複数の出分配側待ち行列１３２の１つに転送される。出分配側待ち行列１３２も、遠隔ネットワークユニット２０の外部ユーザデータポートに対応する出分配側待ち行列１３２の各１つを備えた先入れ先出し（ＦＩＦＯ）レジスタとして設けることができる。したがって、遠隔ネットワークユニット２０に９６個のＡＤＳＬポートが設けられている上記に紹介した例において、対応する複数の出分配側待ち行列１３２は、そのようなポートのそれぞれに対する一対一のマッピングを有する、分配ネットワークユニットに設けられる。
【００４８】
分配側多重化器モジュール１２２のサービス実行ブロック１３４は、出分配側待ち行列１３２の下流に位置する。サービス実行ブロック１３４は、セルを、各出分配側待ち行列１３２、分配側試験トラフィック生成器（ＴＴＧ）１４４、および分配側制御セル待ち行列１３６からブロック１３８に転送する。分配側試験トラフィック生成器１４４は試験セルの下流への伝送のためである。下流への制御セル待ち行列１３６は、例えば、１４６において、分配側コントローラユニット９８のセル生成器１４８から伝送されるＡＡＬ５制御セルを受信する。ブロック１３８において、上記に述べたようにサービス実行ブロック１３４によって伝送されたユーザデータセル、試験セル、および制御セルは、分配側リンク伝送モジュール１４２を介して伝送リンク３６への後の下流への転送のために分配側出力待ち行列１４０に転送される。分配側出力待ち行列１４０は先入れ先出し（ＦＩＦＯ）レジスタとして設けることができる。分配ネットワークユニット１０の分配側リンク伝送モジュール１４２は、遠隔ネットワークユニット２０の対応部分となるループ側リンク伝送モジュール６８と同じ機能を行う。サービス実行ブロック１３４のためのスケジューリング方式は、以下にさらに詳細に説明するように、トラフィック整形ユニット１００によって適用される。
【００４９】
第２の分配側試験トラフィックモニタ（ＴＴＭ）１５０は、分配側インターフェイス１２４を介してトラフィックプロセッサ９４から分配側多重化器モジュール１２２によって受信される試験トラフィックを検証するために使用することができる。動作可能にされた時、第２の分配側試験トラフィックモニタ１５０はブロック１３８を介して任意の背景試験トラフィックを監視するために機能する。モニタされた背景試験トラフィックは第２の分配側試験トラフィックモニタ１５０において停止され、分配側出力待ち行列１４０の方向には分配側多重化器モジュール１２２によって転送されない。
【００５０】
上記に紹介したように、トラフィック整形ユニット１００は、伝送リンク３６を介して分配側多重化器モジュール１２２からの下流に向かうセルの流れに関してトラフィックのスケジューリングを行う。例えば、トラフィック整形ユニット１００は、遠隔ネットワークユニット２０のユーザデータポートのそれぞれ、分配側制御セル待ち行列１３６、および分配側試験トラフィック生成器１４４のためにトラフィックをスケジューリングするために設けることができる。例として、トラフィック整形ユニット１００は、ユーザデータポートに基づく下流へのユーザセルデータのトラフィックの速度が遠隔ネットワークユニット２０の対応するユーザデータポートの目標速度を超えないことを確実にすることができる。トラフィック整形ユニット１００も、例えば、熟練当業者には知られている作業量の少ないラウンドロビンアルゴリズムなどに基づくものなどの、出分配側待ち行列１３２に関する適したスケジューリング方式を実行する。好ましくは、トラフィック整形ユニット１００は、下流に向かうセルの流れのための所定の、または、選択可能なスケジューリング方式を取り入れるようにプログラム可能にすることができる。
【００５１】
既に説明したように、分配側多重化器／多重化解除器ユニット２９（図２）、分配側コントローラユニット２７（図２）、および分配ネットワークユニット１０のトラフィック整形ユニット１００（図４）は、フィールドプログラマブルゲートアレー、または、当業者に知られているような他の適する装置の手段によってまとめて実施することができる。
【００５２】
本発明による前述のネットワークトポロジおよび関連するネットワーク構成要素は、アクセスネットワークへの、およびそれからの広帯域ネットワークのトラフィック伝送のための区分されたインターフェイス構成となる。中央事務所の装置に関する場合、区分されたインターフェイス構成は重複する機能の回避を促進し、従来技術の規模を調整された、または、中継器を含む遠隔ポート構成に関連する不要な装置の一般経費の潜在的な削減をもたらすことができる。例えば、全ての一般的な管理、制御、ＡＴＭ交換、サービスプロセッサ、およびサービスインターフェイスは、本発明の遠隔ネットワークユニットとは対照的に、本発明の分配ネットワークユニットとともに残ると考えることができる。同様に、回線ポートのレベルにおけるいかなる処理も分配ネットワークユニットによって管理することができる。これは、ＡＴＭ処理、サービス行列内待機の出力品質、ＯＡＭ処理、トラフィック管理、制御処理、ＤＳＬｍｉｂの実施、およびトランシーバ制御などのデータ経路に関する機能を含むことができる。いかなる所望のデータおよび制御インターフェイスも、それ自体を本発明の分配ネットワークユニットから遠隔ネットワークユニットへ、それらの間の伝送リンクを介して遠隔操作することができる。本発明による遠隔ネットワークユニットは全ての必要な回線インターフェイス回路、ＤＳＬトランシーバ、およびアナログフロントエンド回路を含む。さらに、遠隔ネットワークユニットは、その動作において、既に述べたループ側コントローラユニットへ、およびそれから進行する制御データ、および前述のＤＳＬトランシーバへ、およびそれから進行するユーザデータの多重化および多重化解除に焦点を合わせることができる。
【図面の簡単な説明】
【００５３】
【図１】本発明の実施形態による、分配ネットワークユニットおよび遠隔ネットワークユニットが配置される例示的なネットワークトポロジを示す図である。
【図２】図１に示す遠隔ネットワークユニットの高レベルの構成を示すブロック図である。
【図３】本発明の実施形態による、図１および２の遠隔ネットワークユニットの一部を形成するループ側多重化器／多重化解除器ユニットおよびループ側コントローラユニットの構成の詳細を示すブロック図である。
【図４】図１に示す分配ネットワークユニットの高レベルの構成を示すブロック図である。
【図５】本発明の実施形態による、図１および４の分配ネットワークユニットの一部を形成する分配側多重化器／多重化解除器ユニット、分配側コントローラユニット、およびトラフィック整形ユニットの構成の詳細を示すブロック図である。
【符号の説明】
【００５４】
２　ネットワークトポロジ
４、９　リンク
５、６　分配ネットワーク
１０　分配ネットワークユニット
２０　遠隔ネットワークユニット
２１　シリアル化器／デシリアル化器（ＳＤ）インターフェイス
２２、５４、６０、６６、７２、１３０、１３８　ブロック
２４　分離器
２７　ループ側コントローラユニット
２８　ＸＤＳＬトランシーバ
２９　ループ側多重化器／多重化解除器ユニット
３０　ローカル銅製ループ
３２　遠隔ユーザ端末
３６　伝送リンク
４０　ループ側リンク受信モジュール
４１　ループバックセル待ち行列
４２　ループ側多重化解除器モジュール
４４　データセル待ち行列
４６　ループ側試験トラフィックモニタ
４８　ループ側多重化器モジュール
５１　ループ側制御セル待ち行列
５２　ポート
５６　ループ側インターフェイス
５８　出上流待ち行列
６１、１４８　セル生成器
６４　ループ側試験トラフィック生成器
６７　ループ側多重化器出力待ち行列
６８　ループ側リンク伝送モジュール
７０　出ループ側待ち行列
８０　放送サービスインターフェイス
８４　分配側シリアル化器／デシリアル化器（ＳＤ）インターフェイス
８６　分配側リンク受信モジュール
９０　放送バス
９２　双方向バス
９４　トラフィックプロセッサ
９６　分配側多重化器／多重化解除器ユニット
９８　分配側コントローラユニット
１００　トラフィック整形ユニット
１１２、１５０　分配側試験トラフィックモニタ（ＴＴＭ）
１１４　分配側制御セル待ち行列
１１８　分配側待ち行列
１２０　分配側多重化解除器モジュール
１２４　分配側インターフェイス
１２６　双方向リンク
１２８　入分配側待ち行列
１３４　サービス実行ブロック
１３６　分配側制御セル待ち行列
１４０　分配側出力待ち行列
１４２　分配側リンク伝送モジュール
１４４　分配側試験トラフィック生成器
１５２　制御セル受信ユニット
【図１】
2004040777.tif 000003
【図２】
2004040777.tif 000004
【図３】
2004040777.tif 000005
【図４】
2004040777.tif 000006
【図５】
2004040777.tif 000007
【外国語明細書】
2004040777.tif 000008
2004040777.tif 000009
2004040777.tif 000010
2004040777.tif 000011
2004040777.tif 000012
2004040777.tif 000013
2004040777.tif 000014
2004040777.tif 000015
2004040777.tif 000016
2004040777.tif 000017
2004040777.tif 000018
2004040777.tif 000019
2004040777.tif 000020
2004040777.tif 000021
2004040777.tif 000022
2004040777.tif 000023
2004040777.tif 000024
2004040777.tif 000025
2004040777.tif 000026
2004040777.tif 000027
2004040777.tif 000028
2004040777.tif 000029
2004040777.tif 000030
2004040777.tif 000031
2004040777.tif 000032
2004040777.tif 000033
2004040777.tif 000034
2004040777.tif 000035
2004040777.tif 000036
2004040777.tif 000037